(57)【要約】【課題】複数台の住宅用火災警報器に対する動作試験を、試験スイッチを一度操作するだけで順次実施可能とした住宅用火災警報器、及びこれを用いた住宅用火災警報システムを提供する。【解決手段】試験スイッチ付きの住宅用火災警報器Ａ１と、試験スイッチがなく、この試験スイッチ付きの住宅用火災警報器Ａ１に接続して使用される増設用火災警報器Ｂ１と、これらを用いて構成された住宅用火災警報システムが提案されており、試験スイッチ付き住宅用火災警報器Ａ１は、試験スイッチＳＷを有し、その試験スイッチＳＷの操作によって試験信号を火災検知回路１３に送出する試験回路１４と、この試験回路１４が試験信号を出力した後、所定の時間経過後に、試験リレー信号を送出する遅延回路１５と、この試験リレー信号を出力する移報出力端子Ｔｏと、内部電源回路１０とを備えている。【選択図】図１
2005275609.tif 000002
【特許請求の範囲】
【請求項１】
試験スイッチを有し、その試験スイッチの操作によって試験信号を火災検知回路に送出する試験回路と、この試験回路が試験信号を出力した後、所定の時間経過後に、試験リレー信号を送出する遅延回路と、この試験リレー信号を出力する移報出力端子と、内部電源回路とを備えたことを特徴とする、試験スイッチ付き住宅用火災警報器。
【請求項２】
試験リレー信号を受け取る移報入力端子と、この移報入力端子を通じて受け取った試験リレー信号を受けて火災検知回路に試験信号を送出する試験回路と、この試験回路が試験信号を出力した後、所定の時間経過後に、試験リレー信号を送出する遅延回路と、この試験リレー信号を出力する移報出力端子と、内部電源回路とを備えたことを特徴とする、住宅用増設火災警報器。
【請求項３】
請求項１に記載の試験スイッチ付き住宅用火災警報器に、請求項２に記載の住宅用増設火災警報器を、少なくとも１以上接続して構成される住宅用火災警報システム。
【請求項４】
試験スイッチを有し、その試験スイッチの操作によって試験信号を火災検知回路に送出する試験回路と、この試験回路が試験信号を出力した後、所定の時間経過後に、試験リレー信号を送出する遅延回路と、この試験リレー信号を出力する移報出力端子と、内部電源回路と、内部電源回路からの電源を供給する電源出力端子とを備えたことを特徴とする、試験スイッチ付き住宅用火災警報器。
【請求項５】
試験リレー信号を受け取る移報入力端子と、この移報入力端子を通じて受け取った試験リレー信号を受けて火災検知回路に試験信号を送出する試験回路と、この試験回路が試験信号を出力した後、所定の時間経過後に、試験リレー信号を送出する遅延回路と、この試験リレー信号を出力する移報出力端子と、内部電源回路がなく、外部からの電源供給を受ける電源入力端子と、この電源入力端子から受けた電源を更に外部に供給するための電源出力端子とを備えたことを特徴とする、住宅用増設火災警報器。
【請求項６】
請求項４に記載の試験スイッチ付き住宅用火災警報器に、請求項５に記載の住宅用増設火災警報器を少なくとも１以上接続して構成される住宅用火災警報システム。
【発明の詳細な説明】
【技術分野】
【０００１】
本発明は、火災動作試験機能を備えた住宅用火災警報器、これを用いた住宅用火災監視システムの改良に関するものである。
【背景技術】
【０００２】
従来の住宅用火災警報器は、それぞれに商用電源を供給し、試験スイッチ等を押下げて動作試験が行なわれる構成となっており、一住宅内に複数設置される場合でも、一台ずつ個別に試験スイッチ等を押下げて試験動作を行う必要があった。そのため、試験動作は手間がかかる面倒な作業とされ、実施する頻度も少なくなっている。
しかしながら、火災警報器の動作試験は実火災時において、正常な動作が出来るかどうかを確認する重要な作業であるため、簡易に行えるようにして、実施頻度を多くすることが望ましい。
【０００３】
次の特許文献には、複数の火災感知器の動作試験を、人手を要することなく順次自動的に行える機能を備えたものが開示され、提案されている。
【特許文献１】特開昭５２−１０６９９号公報
【発明の開示】
【発明が解決しようとする課題】
【０００４】
しかしながら、上記技術は火災報知機の試験スイッチを操作して、接続された複数の感知器の動作試験を順次行うもので、住宅内などで使用される簡易な住宅用火災警報器に適用できるものではなかった。
したがって、本発明はこのような事情を考慮して提案されたもので、住宅内などで火災警報器を複数個設置して使用するような場合にも、それらの複数個の住宅用火災警報器の動作試験を一度の操作で順次、自動的に実施できるようにした住宅用火災警報器と、これを用いた火災警報システムを提供することを目的としている。
【課題を解決するための手段】
【０００５】
上記目的を達成するために次のような本発明が請求項１〜３として提案されている。
ここに、請求項１の試験スイッチ付き住宅用火災警報器は、試験スイッチを有し、その試験スイッチの操作によって試験信号を火災検知回路に送出する試験回路と、この試験回路が試験信号を出力した後、所定の時間経過後に、試験リレー信号を送出する遅延回路と、この試験リレー信号を出力する移報出力端子と、内部電源回路とを備えたことを特徴とする。
また、請求項２の住宅用増設火災警報器は、試験リレー信号を受け取る移報入力端子と、この移報入力端子を通じて受け取った試験リレー信号を受けて火災検知回路に試験信号を送出する試験回路と、この試験回路が試験信号を出力した後、所定の時間経過後に、試験リレー信号を送出する遅延回路と、この遅延回路からの試験リレー信号を出力する移報出力端子と、内部電源回路とを備えたことを特徴とする。
さらに、請求項３では、請求項１に記載の試験スイッチ付き住宅用火災警報器に、請求項２に記載の住宅用増設火災警報器を少なくとも１以上接続して構成された住宅用火災警報システムを提案している。
【０００６】
以上に提案された本発明は、それぞれが、次のような特徴を有する。
すなわち、請求項１で提案される試験スイッチ付き住宅用火災警報器は、試験スイッチ、試験回路を備えているので、単独で火災動作試験を行うことが出来るが、移報出力端子に、請求項２に記載の住宅用増設火災警報器を接続すれば、増設火災警報器に試験リレー信号を送出して試験動作させることができる。
試験リレー信号を出力する遅延回路は、所定の遅延時間が設定されており、この遅延時間を、自らの火災試験動作を確認するまでの時間に設定しておけば、増設火災警報器の動作試験が同時的に行なわれて警報出力が重複することがなく、試験動作を個々に確認することができる。
一方の請求項２で提案される住宅用増設火災警報器は、試験スイッチを有さないが、試験回路、遅延回路、内部電源回路を備え、更に、移報入力端子、移報出力端子を備えている。
従って、その移報入力端子に、上記した試験スイッチ付き住宅用火災警報器の移報出力端子を接続し、更に、その移報出力端子には、他の増設火災警報器を多段的に接続することが出来、この場合、前段の増設火災警報器の移報出力端子に、次段の増設火災警報器の移報入力端子を接続する。
請求項３では、試験スイッチ付き火災警報器に、増設火災警報器を少なくとも１以上、前述したような接続態様で多段的に接続して構成された住宅用火災警報システムが提案され、このシステムでは、試験スイッチ付き火災警報器の試験スイッチを操作すれば、その火災警報器で試験動作が完了した後、次段の増設用火災警報器に試験リレー信号が送られ、試験動作が確認され、更に、次段の増設火災警報器に試験リレー信号が送られて、火災試験動作が順次自動的になされる。
【０００７】
同様な目的で、請求項４〜６の発明が提案されている。
ここに、請求項４で提案される試験スイッチ付き住宅用火災警報器は、試験スイッチを有し、その試験スイッチの操作によって試験信号を火災検知回路に送出する試験回路と、この試験回路が試験信号を出力した後、所定の時間経過後に、試験リレー信号を送出する遅延回路と、この試験リレー信号を出力する移報出力端子と、内部電源回路と、内部電源回路からの電源を供給する電源出力端子とを備えたことを特徴とする。
また、請求項５で提案される住宅用増設火災警報器は、試験リレー信号を受け取る移報入力端子と、この移報入力端子を通じて受け取った試験リレー信号を受けて火災検知回路に試験信号を送出する試験回路と、この試験回路が試験信号を出力した後、所定の時間経過後に、試験リレー信号を送出する遅延回路と、この遅延回路からの試験リレー信号を出力する移報出力端子と、内部電源回路がなく、外部からの電源供給を受ける電源入力端子と、この電源入力端子から受けた電源を外部に供給するための電源出力端子とを備えたことを特徴とする。
更に、請求項６では、請求項４に記載の試験スイッチ付き住宅用火災警報器に、少なくとも１以上の請求項５に記載の住宅用増設火災警報器とを接続して構成される住宅用火災警報システムが提案されている。
【発明の効果】
【０００８】
請求項１に記載の試験スイッチ付き住宅用火災警報器では、試験スイッチを操作すれば、試験回路が作動されて、火災検出回路には試験信号が送出されるので、故障や異常がなければ、警報を出力させて、動作試験を行うことができる。
また、このようにして動作試験を終了させた後は、移報出力端子から試験リレー信号を、増設火災警報器に送出できるので、増設火災警報器に試験リレー信号を伝達させて、試験動作を行わせることができる。
請求項２に記載の住宅用増設火災警報器では、その移報入力端子に試験スイッチ付き住宅用火災警報器の移報出力端子を接続し、さらに、移報出力端子に、次段の増設火災警報器を接続し、多段的に接続して使用できる。
請求項３に記載の住宅用火災警報システムでは、試験スイッチ付きの住宅用火災警報器の試験スイッチを操作すれば、試験スイッチ付きの住宅用火災警報器に始まり、それに多段的に接続された複数の増設用火災警報器を、順次、遅延させて火災試験動作を行うことができる。したがって、住宅内に複数の火災警報器を設置した場合も、人手を要せず、簡易に火災試験動作が実行できる。
【０００９】
請求項４〜６では、それぞれ、請求項１〜３の基本動作に加えて、増設火災警報器には、内部電源回路を設ける必要がない。そして、その電源入力端子を、試験付き火災警報器や、前段の増設用火災警報器に設けた電源出力端子に接続して給電を受けることができるので、近隣に電源コンセントがなくてもよく、施工場所の自由度が高い。
また、増設火災警報器には試験スイッチを設ける必要がないので、外観もすっきりとし、いたずらも防止できる。
【発明を実施するための最良の形態】
【００１０】
以下に、本発明の実施形態について、図面を参照しながら説明する。
【実施例１】
【００１１】
図１は、請求項１〜３に記載された、本発明の試験スイッチ付き住宅用火災警報器Ａ１、増設火災警報器Ｂ（＃１）〜（＃ｎ）及びこれらで構成された火災警報システムの一例を示す概略回路構成図である。
【００１２】
試験スイッチ付き住宅用火災警報器Ａ１には、増設火災警報器Ｂ１（＃１）〜（＃ｎ）が、２線の信号線ｌを通じて、複数台、多段接続されて住宅用火災警報システムが構成されている。
なお、試験スイッチ付き住宅用火災警報器Ａ１、増設火災警報器Ｂ（＃１）〜（＃ｎ）は、同様の回路構成とする箇所は、同一の符号を付し、それらの説明は省略している。
【００１３】
住宅用火災警報器Ａ１は、１００Ｖの商用電源からの電源供給を受けるための差込みプラグ（不図示）を備え、商用電源を所定レベルに降圧し、あるいは、必要に応じて直流変換させた後、内部電源として供給する電源回路１０と、煙、熱等を感知すると火災信号を出力する火災検知回路１３、火災検知回路１３から火災信号を受けたときに警報を出力する警報回路１１と、火災検知回路１３から火災信号を受けると起動し、予め設定された所定時間を計時して警報出力を継続するタイマ回路１２と、試験スイッチＳＷが操作されると火災検知回路１３に試験信号を送出する試験回路１４と、試験回路１４が試験スイッチＳＷの操作によって試験信号を出力した後、所定の時間後を経てから試験リレー信号を出力する遅延回路１５と、その試験リレー信号を出力する移報出力端子Ｔｏとを備えている。
ここに、試験スイッチＳＷは、火災警報器のヘッド部に設けた引き紐や、押釦、あるいは、自己復帰式のスライド操作部を操作することによって、操作されるようになっており、電源が供給されているときに点灯する電源表示灯ＤＡ１、試験動作時に点灯する試験表示灯ＤＡ２を有している。
【００１４】
また、遅延回路１５は、タイマ回路にリレー回路を組み合わせるなどして構成されるが、試験スイッチＳＷが操作され、試験回路１４から出力される試験信号によって、予め設定された遅延時間が経過すれば、試験リレー信号を出力する構成になっている。この場合の遅延時間は、前述のタイマ回路１２の設定時間とほぼ同じ時間に設定することが望ましいが、これに限定されない。また、図例では移報信号として、無電圧接点信号を出力させているが、有電圧信号を出力させるものであってもよい。
【００１５】
一方の増設住宅用火災警報器Ｂ１（＃１）は、２線の信号線ｌで、その移報入力端子Ｔｉｎに上記した試験スイッチ付きの火災警報器Ａ１の移報出力端子Ｔｏを接続し、さらにその移報出力端子Ｔｏに信号線ｌを接続して、次段の増設火災警報器Ｂ（＃２）の移報入力端子Ｔｉｎに接続し、同様にして、順次、次段に接続される増設火災警報器の移報入力端子Ｔｉｎに、その前段の増幅火災警報器の移報出力端子Ｔｏを、２線の信号線ｌで接続している。
【００１６】
ここに、増設火災警報器Ｂ１（＃１）・・・も、いずれも１００Ｖの商用電源からの電源供給を受けるための差込みプラグ（不図示）を備え、商用電源を所定レベルに降圧し、あるいは必要に応じて直流変換させた後、内部電源として供給する電源回路１０と、煙、熱等を感知すると火災信号を出力する火災検知回路１３、火災検知回路１３から火災信号を受けたときに警報を出力する警報回路１１と、火災検知回路１３から火災信号を受けると起動し、予め設定された設定時間を計時して警報の鳴動を保持するタイマ回路１２と、試験リレー信号を受ける移報入力端子Ｔｉｎと、試験リレー信号を受けると火災検知回路１３に試験信号を送出する試験回路１４と、試験回路１４が試験信号を出力した後、例えば、所定の時間の警報出力が終了した後に、移報出力端子Ｔｏより試験リレー信号を出力する遅延回路１５とを備えている。
【００１７】
また、遅延回路１５は、タイマ回路にリレー回路を組み合わせるなどして構成されるが、試験スイッチＳＷが操作され、試験回路１４から出力される試験信号によって、予め設定された遅延時間が経過すれば、試験リレー信号を出力する構成になっている。
この場合の遅延時間は、前述のタイマ回路１２の設定時間とほぼ同じ時間に設定することが望ましいが、これに限定されない。また、図例では移報信号として、無電圧接点信号を出力させているが、有電圧信号を出力させるものであってもよい。
なお、ＤＢ１は電源表示灯、ＤＢ２は試験表示灯を示している。
【００１８】
図２は、本発明の火災警報システムの一例を示す外観図である。
住宅用火災警報器Ａ１は引き紐１６を試験スイッチＳＷの操作部として備え、その下段には増設住宅用火災警報器Ｂ（＃１）〜（＃ｎ）がいずれも２線の信号線ｌ・・・を通じて接続して構成されている。
【００１９】
図３は、本発明システムの基本動作をタイムチャートで示したものである。
以下、本発明で実施される動作試験を図３とともに説明する。
住宅用火災警報器Ａ１の試験スイッチＳＷが操作されると、電源回路１０の電源は試験回路１４、遅延回路１５に送出されて、試験表示灯ＤＡ２が点灯し、試験回路１４が試験信号を出力する。
火災検知回路１３がこの試験信号を受けると、火災信号がタイマ回路１２を起動して警報回路１１に送出されるので、内部回路に故障や異常がない場合には、タイマ回路１２の設定時間Ｔｄの間、警報回路１１が動作し、警報を出力する。
かくして試験動作が終了すると、遅延回路１５は試験リレー信号をＴ時間の間出力し、これによって、移報出力端子Ｔｏは閉じられて、増設火災警報器Ｂ（＃１）の試験回路１４には、その電源回路１０から電源が供給される。
【００２０】
この結果、試験回路１４は試験信号を出力し、この試験信号は、火災検知回路１３と、遅延回路１５に送出される。試験信号を受けた火災検知回路１３は、タイマ回路１２を起動し警報回路１１に火災信号を出力するので、警報回路１１はタイマ回路１２の設定時間Ｔｄの間、警報を出力する。そして、タイマ回路１２の設定時間Ｔｄの警報出力が終了すると、遅延回路１５は、試験リレー信号をＴ時間だけ出力し、移報出力端子Ｔｏは閉じられる。
この結果、次段の増設火災警報器Ｂ（＃２）の試験回路１４は、自らの電源回路１０から電源を供給される。すると、試験回路１４は試験信号を出力し、この試験信号は、火災検知回路１３と、遅延回路１５に送出され、試験信号を受けた火災検知回路１３は、タイマ回路１２を起動して警報回路１１に火災信号を出力するので、警報回路１１はタイマ回路１２の設定時間Ｔｄの間、警報を出力する。そして、タイマ回路の設定時間Ｔｄの警報出力が終了すると、遅延回路１５は、試験リレー信号をＴ時間の間出力し、移報出力端子Ｔｏを閉じる。
【００２１】
このような方法で、試験スイッチ付き住宅用火災警報器Ａ１の試験スイッチＳＷを操作して試験動作を開始すると、試験回路１４が作動し試験動作によって警報出力が所定時間の間出力された後、試験リレー信号が順次、次段の増設火災警報器の遅延回路１５から、更に次段の試験回路１４に送られ、その結果、火災警報システムは、住宅用火災警報器Ａ１を最初として、増設住宅用火災警報器Ｂ１（＃１）から、次段の増設火災警報器Ｂ１（＃２）、更にその次段の増設用火災警報器Ｂ１（＃３）へと、順次試験リレー信号が送出されて、システム全体の火災動作試験が遅延時間をとりながら、一斉に実行されることになる。
【実施例２】
【００２２】
図４は、請求項４〜６に記載された、試験スイッチ付き住宅用火災警報器、増設火災警報器及びこれらを用いた火災警報システムの一例を示す回路構成図である。
【００２３】
試験スイッチ付き住宅用火災警報器Ａ２は、請求項１で提案された構成に加えて、電源出力端子Ｔａを更に備えており、増設火災警報器Ｂ２（＃１）〜（＃ｎ）は、請求項２で提案された構成とは、内部電源回路１０がなく、外部から電源供給を受けるための電源入力端子Ｔｂと、この電源入力端子Ｔｂから受けた電源を、更に外部に供給するための電源出力端子Ｔｃとを備えている点で相違し、請求項４で提案された試験スイッチ付き住宅用火災警報器Ａ２、後段の増設火災警報器Ｂ２（＃１）〜（＃ｎ）は、それぞれの電源出力端子Ｔａ、Ｔｃを、次段の火災警報器の電源入力端子Ｔｂに給電線ｌｏを通じて接続することで、試験スイッチ付き住宅用火災警報器を親機として電源を受けて作動するようになっている。なお、実施例１と同様の構成とする箇所は、同一の符号を付し、説明を省略する。
【００２４】
また、このシステムでは、試験スイッチ付き住宅用火災警報器Ａ２は、請求項１の試験スイッチ付き住宅用火災警報器Ａ１と同様に、近隣の電源コンセントなどからローカル給電を受け、増設火災警報器Ｂ２（＃１）〜（＃ｎ）は、試験スイッチ付き火災警報器Ａ２、前段の増設火災警報器から駆動電源の供給を受けて作動するようになっている。
【００２５】
試験スイッチ付き住宅用火災警報器Ａ２の試験スイッチＳＷを操作すれば、試験スイッチ付き住宅用火災警報器で自己の動作試験を行った後、その次段に接続された増設火災警報器Ｂ２（＃１）〜（＃ｎ）についても同様に、所定の遅延時間を隔てて順次火災動作試験を一斉に行うことができる。
よって、人手を要せず容易に動作試験ができ、遅延して他の住宅用火災警報器の火災試験動作が順次実行されるため、個々の動作状態（故障状態等）も認識することができる。
【００２６】
また、このシステムでは、試験スイッチ付き火災警報器Ａ２はローカル給電を受けて、電源供給源となるので、増設火災警報器の近隣に電源コンセントがなくても、試験スイッチ付き火災警報器から給電線ｌｏを通じて電源供給を受けることができるので、施工場所の自由度が高い。また、試験スイッチ付き火災警報器の内部電源容量を予め適正なもの選択しておけば、試験スイッチ付き火災警報器に必要な個数の増設火災警報器を増設して使用することが出来るので、システム規模を容易に拡大でき、融通性が高い。
【図面の簡単な説明】
【００２７】
【図１】本発明の住宅用火災警報器、増設火災警報器及びこれを用いたシステムの一例を示す回路構成図である（請求項１〜３に対応）。
【図２】図１に示した住宅用火災警報システムの説明図。
【図３】図１に示した住宅用火災警報システムの基本動作を示すタイムチャート。
【図４】本発明の住宅用火災警報器、増設火災警報器及びこれを用いたシステムの一例を示す回路構成図である（請求項４〜６に対応）。
【符号の説明】
【００２８】
Ａ１、Ａ２      試験スイッチ付き住宅用火災警報器
Ｂ１、Ｂ２      住宅用増設火災警報器
１０    内部電源回路
１１      警報回路
１２      タイマ回路
１３      火災検知回路
１４      試験回路
１５      遅延回路
Ｔａ，Ｔｃ電源出力端子
Ｔｂ    電源入力端子
Ｔｏ      移報出力端子
Ｔｉｎ    移報入力端子
【図１】
2005275609.tif 000003
【図２】
2005275609.tif 000004
【図３】
2005275609.tif 000005
【図４】
2005275609.tif 000006